(57)【要約】【課題】発光領域の面内における輝度の均一化を図り、表示品位を良好にすることができる反射型表示装置などを提供する。【解決手段】光を発する発光部を有し、前記発光部から発せられた光の反射により画像を表示する表示部と、前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する制御部と、を備える反射型表示装置。【選択図】図１
2017161855.tif 000002
【特許請求の範囲】
【請求項１】
光を発する発光部を有し、前記発光部から発せられた光の反射により画像を表示する表示部と、
前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する制御部と、
を備える反射型表示装置。
【請求項２】
前記発光部から発せられる光により発生する輝度の分布と、前記輝度補正情報に応じた画像における輝度の分布とが、相似する、
請求項１に記載の反射型表示装置。
【請求項３】
前記制御部は、前記輝度補正情報を記憶する記憶部を備え、
前記制御部は、前記記憶部に記憶された前記輝度補正情報に基づいて、前記表示対象の画像について輝度を補正する、
請求項１または請求項２のいずれか１項に記載の反射型表示装置。
【請求項４】
前記輝度補正情報は、画像のビット情報である、
請求項１から請求項３のいずれか１項に記載の反射型表示装置。
【請求項５】
前記発光部は、フロントライトである、
請求項１から請求項４のいずれか１項に記載の反射型表示装置。
【請求項６】
前記反射型表示装置は、電気泳動表示装置であり、
前記電気泳動表示装置は、
互いに対向させられた第１の基板および第２の基板と、
前記第１の基板に設けられた第１の電極と、
前記第２の基板に設けられた第２の電極と、
前記第１の電極と前記第２の電極との間に設けられた粒子および分散媒を含む分散液と、を備えた、
請求項１から請求項５のいずれか１項に記載の反射型表示装置。
【請求項７】
請求項１から請求項６のいずれか１項に記載の反射型表示装置を備える電子機器。
【請求項８】
光を発する発光部を有し、前記発光部から発せられた光の反射により画像を表示する表示部を備えた反射型表示装置を駆動する駆動方法であって、
制御部が、前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する、
駆動方法。
【請求項９】
光を発する発光部を有し、前記発光部から発せられた光の反射により画像を表示する表示部を備えた反射型表示装置を制御する制御装置であって、
前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する制御部を備えた、
制御装置。
【発明の詳細な説明】
【技術分野】
【０００１】
本発明は、反射型表示装置、電子機器、駆動方法および制御装置に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
電気泳動表示装置は、帯電性および分散性を有する粒子が注入された溶媒に電圧を印加して、当該粒子を所定の電極の側に動かすことで、色および反射率が異なる粒子を分離させて、表示の内容を変えることができる。一例として、白に対応する粒子（「白色粒子」という。）および黒に対応する粒子（「黒色粒子」という。）を用いた白黒表示体では、一般に、白色粒子の光散乱を利用して白を表示させ、黒色粒子の光吸収性を利用して黒を表示させている。
電気泳動表示装置は、例えば、外光の反射により表示のコントラストが得られる反射型の表示装置として構成される。この場合、電気泳動表示装置では、夜間等の暗所で使用する場合を想定して、積層配置された導光板、および表示面を照らすフロントライト等の光源を有している。このことは、市販されている電気泳動表示装置でも同様である。
【０００３】
一般に、反射型表示装置におけるフロントライトの構造では、表示面に均一に光が当たるように、当該表示面の上部に導光板を配置し、当該導光板の側面に配置された光源から発せられる光を当該導光板に入光させるサイド発光方式が用いられる（例えば、特許文献１参照。）。
【０００４】
しかしながら、サイド発光方式のフロントライトでは、光源から発せられる光が当たる領域（発光領域）において、輝度のムラが発生する場合があった。当該発光領域は、例えば、当該光によって画像が表示される領域（表示領域）として用いられる。
例えば、腕時計のように小型の構造とする制約があるデザインでは、発光領域に対して光源の配置位置が近傍となる。このような構成では、発光領域のうちで、光源から発せられる光が入光されるところの近傍に、目玉のような高輝度のムラが発生する場合があった。
また、導光板の形状あるいは光源の配置位置によって、発光領域の面内における輝度が不均一となる場合があった。
【先行技術文献】
【特許文献】
【０００５】
【特許文献１】特開２００３−３４４８８１号公報
【発明の概要】
【発明が解決しようとする課題】
【０００６】
上述のように、電気泳動表示装置などの反射型表示装置において発光領域の面内における輝度が不均一になり、例えば、フロントライトの点灯時における表示品位が低下する場合があるといった問題があった。
【０００７】
本発明は、前記の点に鑑み為されたものであり、発光領域の面内における輝度の均一化を図り、表示品位を良好にすることができる反射型表示装置、電子機器、駆動方法および制御装置を提供することを目的とする。
【課題を解決するための手段】
【０００８】
上記課題の少なくとも一つを解決するために本発明の一態様は、光を発する発光部を有し、前記発光部から発せられた光の反射により画像を表示する表示部と、前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する制御部と、を備える反射型表示装置である。
この構成により、反射型表示装置では、表示対象の画像と輝度補正情報に応じた画像とを重ね合わせて表示することで、表示対象の画像について輝度を補正する。これにより、反射型表示装置では、発光領域の面内における輝度の均一化を図り、表示品位を良好にすることができる。
【０００９】
また、本発明の一態様は、反射型表示装置において、前記発光部から発せられる光により発生する輝度の分布と、前記輝度補正情報に応じた画像における輝度の分布とが、相似する、構成が用いられてもよい。
この構成により、反射型表示装置では、発光部から発せられる光により発生する輝度の分布と、輝度補正情報に応じた画像における輝度の分布とが、相似する。これにより、反射型表示装置では、発生する輝度の分布に相似した輝度の分布を用いて、発光領域の面内における輝度の均一化を図り、表示品位を良好にすることができる。
【００１０】
また、本発明の一態様は、反射型表示装置において、前記制御部は、前記輝度補正情報を記憶する記憶部を備え、前記制御部は、前記記憶部に記憶された前記輝度補正情報に基づいて、前記表示対象の画像について輝度を補正する、構成が用いられてもよい。
この構成により、反射型表示装置では、記憶部に記憶された輝度補正情報に基づいて、表示対象の画像について輝度を補正する。これにより、反射型表示装置では、記憶された輝度補正情報を用いて、発光領域の面内における輝度の均一化を図り、表示品位を良好にすることができる。
【００１１】
また、本発明の一態様は、反射型表示装置において、前記輝度補正情報は、画像のビット情報である、構成が用いられてもよい。
この構成により、反射型表示装置では、輝度補正情報は、画像のビット情報である。これにより、反射型表示装置では、輝度補正情報である画像のビット情報を用いて、発光領域の面内における輝度の均一化を図り、表示品位を良好にすることができる。
【００１２】
また、本発明の一態様は、反射型表示装置において、前記発光部は、フロントライトである、構成が用いられてもよい。
この構成により、反射型表示装置では、発光部は、フロントライトである。これにより、反射型表示装置では、発光部であるフロントライトに関し、発光領域の面内における輝度の均一化を図り、表示品位を良好にすることができる。
【００１３】
また、本発明の一態様は、反射型表示装置において、前記反射型表示装置は、電気泳動表示装置であり、前記電気泳動表示装置は、互いに対向させられた第１の基板および第２の基板と、前記第１の基板に設けられた第１の電極と、前記第２の基板に設けられた第２の電極と、前記第１の電極と前記第２の電極との間に設けられた粒子および分散媒を含む分散液と、を備えた、構成が用いられてもよい。
この構成により、反射型表示装置では、反射型表示装置は、電気泳動表示装置である。これにより、反射型表示装置では、電気泳動表示装置である場合において、発光領域の面内における輝度の均一化を図り、表示品位を良好にすることができる。
【００１４】
上記課題の少なくとも一つを解決するために本発明の一態様は、上記のような反射型表示装置を備える電子機器である。この構成により、電子機器では、反射型表示装置において、表示対象の画像と輝度補正情報に応じた画像とを重ね合わせて表示することで、表示対象の画像について輝度を補正する。これにより、電子機器では、反射型表示装置において、発光領域の面内における輝度の均一化を図り、表示品位を良好にすることができる。
【００１５】
上記課題の少なくとも一つを解決するために本発明の一態様は、光を発する発光部を有し、前記発光部から発せられた光の反射により画像を表示する表示部を備えた反射型表示装置を駆動する駆動方法であって、制御部が、前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する、駆動方法である。この構成により、駆動方法では、反射型表示装置において、表示対象の画像と輝度補正情報に応じた画像とを重ね合わせて表示することで、表示対象の画像について輝度を補正する。これにより、駆動方法では、反射型表示装置において、発光領域の面内における輝度の均一化を図り、表示品位を良好にすることができる。
【００１６】
上記課題の少なくとも一つを解決するために本発明の一態様は、光を発する発光部を有し、前記発光部から発せられた光の反射により画像を表示する表示部を備えた反射型表示装置を制御する制御装置であって、前記発光部から光が発せられた状態で表示対象の画像を前記表示部により表示する場合に、前記発光部から発せられる光により発生する輝度の分布に関する情報である輝度補正情報に基づいて、前記表示対象の画像と前記輝度補正情報に応じた画像とを重ね合わせて表示することで、前記表示対象の画像について輝度を補正する制御部を備えた、制御装置である。
この構成により、制御装置では、反射型表示装置において、表示対象の画像と輝度補正情報に応じた画像とを重ね合わせて表示することで、表示対象の画像について輝度を補正する。これにより、制御装置では、反射型表示装置において、発光領域の面内における輝度の均一化を図り、表示品位を良好にすることができる。
【００１７】
以上のように、本発明に係る反射型表示装置、電子機器、駆動方法および制御装置によれば、反射型表示装置において、表示対象の画像と輝度補正情報に応じた画像とを重ね合わせて表示することで、表示対象の画像について輝度を補正する。これにより、反射型表示装置、電子機器、駆動方法および制御装置では、反射型表示装置において、発光領域の面内における輝度の均一化を図り、表示品位を良好にすることができる。
【図面の簡単な説明】
【００１８】
【図１】本発明の一実施形態（第１実施形態）に係る電気泳動表示装置の概略的な構成例を示す図である。
【図２】本発明の一実施形態に係る電気泳動表示装置の表示部の構成例を示す図である。
【図３】画像に発生する輝度のムラの一例を示す図である。
【図４】輝度を補正するための画像の一例を示す図である。
【図５】輝度を補正した画像の一例を示す図である。
【図６】輝度を補正するための画像の他の一例を示す図である。
【図７】輝度を補正したコンテンツ画像の一例を示す図である。
【図８】輝度を補正したコンテンツ画像の他の一例を示す図である。
【図９】輝度の特性および補正用の逆の輝度の特性の一例を示す図である。
【図１０】本発明の一実施形態（第２実施形態の第１の例）に係る電子機器の概略的な構成例を示す図である。
【図１１】本発明の一実施形態（第２実施形態の第２の例）に係る電子機器の概略的な構成例を示す図である。
【図１２】本発明の一実施形態（第２実施形態の第３の例）に係る電子機器の概略的な構成例を示す図である。
【発明を実施するための形態】
【００１９】
本発明の実施形態について図面を参照して詳細に説明する。
【００２０】
（第１実施形態）
［電気泳動表示装置の概要］
図１は、本発明の一実施形態（第１実施形態）に係る電気泳動表示装置１の概略的な構成例を示す図である。図１は、電気泳動表示装置１の平面図である。
電気泳動表示装置１は、表示部１１と、制御部１２を備える。制御部１２は、記憶部２０１を備える。
表示部１１は、縦および横（マトリクス状）に配置された複数の画素領域２１を備える。
制御部１２は、それぞれの画素領域２１ごとに、分散液に印加する電圧を制御することにより、表示する色を制御する。本実施形態では、それぞれの画素領域２１ごとに、分散媒とともに白色粒子および黒色粒子を含む分散液を有しており、白色粒子を用いた白の表示または黒色粒子を用いた黒の表示が可能である。
記憶部２０１は、情報を記憶する。制御部１２は、記憶部２０１に記憶された情報を読み出すことが可能である。
【００２１】
［表示部の概要］
図２は、本発明の一実施形態に係る電気泳動表示装置１の表示部１１の構成例を示す図である。図２は、表示部１１の断面側面図であり、外周の側面に位置する一部の画素領域２１に係る部分を示してある。
なお、本実施形態では、複数の画素領域２１のうち、外周に面した２以上の画素領域２１の構成は同じであり、また、外周に面しない２以上の画素領域２１の構成は同じである。また、外周に面した画素領域２１の構成と、外周に面しない画素領域２１の構成とは、外周に面するか否かに応じた相違部分以外は同じ構成である。
【００２２】
表示部１１は、第１の基板（以下、「画素基板」という。）１０１と、第２の基板（以下、「対向基板」という。）１０２と、隔壁１１１〜１１３と、接合層１２１と、第１の電極（以下、「画素電極」という。）１３１〜１３３と、第２の電極（以下、「対向電極」という。）１４１と、分散液１５１と、封止部１７１と、透明接着層１８１と、導光体１８２と、発光部である光源１８３を備える。分散液１５１は、分散媒１６１と、第１の種類の複数の電気泳動粒子（本実施形態では、白色粒子）１６２と、第２の種類の複数の電気泳動粒子（本実施形態では、黒色粒子）１６３を含む。
なお、「画素基板」は「駆動基板」などと呼ばれてもよく、「対向電極」は「共通電極」などと呼ばれてもよい。
【００２３】
画素基板１０１と対向基板１０２とは、互いに対向させられて配置されている。
画素基板１０１と対向基板１０２との間において、画素基板１０１に、隔壁１１１〜１１３が設けられている。隔壁１１１〜１１３によって、仕切られた複数の画素領域２１の空間（セル）が形成されている。
画素基板１０１と対向基板１０２との間において、画素基板１０１に、画素領域２１ごとに、電極（画素電極）１３１〜１３３が設けられている。
画素基板１０１と対向基板１０２との間において、対向基板１０２に、電極（対向電極）１４１が設けられている。本実施形態では、対向電極１４１は複数の画素領域２１について共通な電極となっているが、他の構成例として、対向電極１４１が画素電極１３１〜１３３ごとに分割されて設けられてもよい。なお、対向基板１０２としては例えばガラス基板が用いられてもよく、対向電極１４１としては例えばＩＴＯ（インジウム・スズ酸化物）などの電極が用いられてもよい。
【００２４】
画素基板１０１と対向基板１０２との間において、対向基板１０２に、画素基板１０１の側（本実施形態では、対向基板１０２に設けられた対向電極１４１の面）に、接合層１２１が設けられている。ここで、接合層１２１と、隔壁１１１〜１１２の先端部（対向基板１０２の側の先端部）とが接している。当該接合層１２１は、例えば、１個の層のみを有してもよく、または、２個以上の層を有してもよい。
各画素領域２１には、分散液１５１が設けられている。
封止部１７１は、表示部１１の外周の側面に設けられており、分散液１５１を封止している。なお、封止部１７１は、例えば、隔壁１１１〜１１２と一体として構成されてもよい。
【００２５】
対向基板１０２には、画素基板１０１の側とは反対の側に、透明接着層１８１が設けられている。当該透明接着層１８１には、対向基板１０２の側とは反対の側に、導光部である導光体１８２が設けられている。当該導光体１８２の外周の一部に、発光部である光源１８３が設けられている。なお、導光体１８２は、例えば、板状の物体（導光板）であってもよい。
導光体１８２は、光源１８３から発せられる光を導光し、これにより、フロントライトが実現される。光源１８３としては、例えば、ＬＥＤ（Ｌｉｇｈｔ  Ｅｍｉｔｔｉｎｇ  Ｄｉｏｄｅ）が用いられてもよい。
また、本実施形態では、透明接着層１８１が用いられたが、他の構成例として、透明接着層１８１の代わりに、フレームを備えて、当該フレームによって導光体１８２を支持し、対向基板１０２と導光体１８２との間に空気層が設けられる構成が用いられてもよい。
なお、本実施形態では、導光体１８２が備えられる構成を示すが、他の構成例として、導光体１８２が備えられない構成が用いられてもよい。
【００２６】
ここで、本実施形態では、光源１８３から照射される光が、導光体１８２により導光されて伝搬し、表示領域（画素領域２１）に照射される。そして、当該光が反射しながら導光体１８２、透明接着層１８１、対向基板１０２などを通過する。このとき、発光領域（表示領域）における輝度の分布にムラがあり、表示内容に輝度のムラが発生する場合があった。本実施形態では、このような問題を解消する。
【００２７】
電気泳動表示装置１では、制御部１２が、電圧を駆動して、各画素電極１３１〜１３３に印加する電圧と、対向電極１４１に印加する電圧を制御することで、各画素領域２１に表示される色（本実施形態では、白色または黒色）を制御する。これにより、表示面における表示の内容が制御される。本実施形態では、対向基板１０２の側の面が、表示の内容を出力する表示面となる。
【００２８】
例えば、画素電極１３１〜１３３と対向電極１４１との間に、相対的に対向電極１４１の電圧が高くなるように電圧を印加する。すると、正に帯電された黒色粒子１６３はクーロン力によって画素電極１３１〜１３３の側に引き寄せられる。一方、負に帯電された白色粒子１６２はクーロン力によって対向電極１４１の側に引き寄せられる。この結果、表示面の側（対向電極１４１の側）には白色粒子１６２が集まることになり、表示面には当該白色粒子１６２に対応する色（白色）が表示される。
【００２９】
逆に、画素電極１３１〜１３３と対向電極１４１との間に相対的に画素電極１３１〜１３３の電位が高くなるように電圧を印加する。すると、負に帯電された白色粒子１６２はクーロン力によって画素電極１３１〜１３３の側に引き寄せられる。一方、正に帯電された黒色粒子１６３はクーロン力によって対向電極１４１の側に引き寄せられる。この結果、表示面の側（対向電極１４１の側）には黒色粒子１６３が集まることになり、表示面には当該黒色粒子１６３に対応する色（黒色）が表示される。
【００３０】
ここで、本実施形態では、画素基板１０１の側に隔壁１１１〜１１３が設けられ、対向基板１０２の側に接合層１２１が設けられたが、他の構成例として、画素基板１０１の側に接合層１２１が設けられ、対向基板１０２の側に隔壁１１１〜１１３が設けられる構成が用いられてもよい。
【００３１】
また、本実施形態では、白色粒子１６２と黒色粒子１６３が用いられるが、他の構成例として、他の色に対応する粒子が用いられてもよい。
また、本実施形態では、分散液１５１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００３２】
また、本実施形態では、隔壁１１１〜１１３により形成される画素領域２１ごとの空間（セルとなる閉空間）が並べられた形状として、スクエアの形状（例えば、長方体が並べられた形状）が用いられるが、他の構成例として、ハニカムの形状（正六角柱が並べられた形状）など、他の形状が用いられてもよい。
また、本実施形態では、隔壁１１１〜１１３により画素領域２１を形成する隔壁型が用いられるが、他の構成例として、分散液を収容するマイクロカプセルにより画素領域２１を形成するカプセル型が用いられてもよい。
【００３３】
［発光領域における輝度の補正の説明］
本実施形態に係る電気泳動表示装置１において行われる、発光領域における輝度の補正について説明する。
記憶部２０１は、発光領域における輝度を補正するための情報（以下、「輝度補正情報」という。）を記憶する。
制御部１２は、記憶部２０１に記憶された輝度補正情報に基づいて、各画素領域２１の画素電極１３１〜１３３に印加する電圧を制御することで、発光領域における輝度を補正する。
【００３４】
図３は、画像３０１に発生する輝度のムラの一例を示す図である。
図３の例では、表示部１１にフロントライトとして２個の光源３１１〜３１２が備えられた場合を示してある。当該光源３１１〜３１２は、図２に示される光源１８３に相当する。なお、光源の数は、１個以上の任意の数であってもよい。
図３には、輝度の補正が行われない状態における、光源３１１〜３１２の発光領域（表示領域）における画像３０１の一例を示してある。当該画像３０１は、輝度の補正が行われない場合に表示部１１により表示される画像に相当し、図３の例では、すべての画素領域２１において白色を表示した場合の画像に相当する。
【００３５】
図３に示される画像３０１では、発光領域の面内において、２個の光源３１１〜３１２から発せられる光が不均一であることに起因して、輝度のムラが発生している。具体的には、輝度の分布において、高い輝度の部分（高輝度部３２１）と、低い輝度の部分（低輝度部３２２）が発生している。高輝度部３２１は照度が高く明るい一方、低輝度部３２２は照度が低く暗い。
なお、本実施形態では、画像３０１における輝度は、光源３１１〜３１２から発せられた光が分散液１５１により反射された光の輝度（反射輝度）が反映されたものである。
【００３６】
図４は、輝度を補正するための画像４０１の一例を示す図である。
図４に示される画像４０１は、図３に示される画像３０１に基づいて生成される。
具体的には、まず、光源３１１〜３１２を点灯した状態で、制御部１２により輝度の補正を行わずに、表示部１１により表示される画像（図３に示される画像３０１）を取得する。当該画像３０１の取得は、例えば、ＣＣＤ（Ｃｈａｒｇｅ  Ｃｏｕｐｌｅｄ  Ｄｅｖｉｃｅ）などのカメラによって当該画像３０１を撮像することで取得する。次に、取得された画像３０１をグレースケール化する。そして、グレースケール化された画像について、当該画像における明るいところを黒色へ変換し、当該画像における暗いところを白色へ変換して、白と黒とを反転させる。白と黒とを反転させた画像を、図４に示される画像４０１として取得する。
【００３７】
図４に示される画像４０１は、白色と黒色の２階調の画像となっている。
ここで、画像における明るいところと暗いところは、一例として、輝度が所定の閾値を超えるところを明るいところと判定し、輝度が当該閾値以下であるところを暗いところと判定することで、識別され得る。
また、一例として、２値化された画像について、２値の誤差拡散法の画像処理を施し、これにより生成された画像を、図４に示される画像４０１として取得してもよい。
図４の例では、画像４０１の情報が、記憶部２０１に記憶される輝度補正情報となる。例えば、当該輝度補正情報として、当該画像４０１のビット情報が用いられてもよく、または、他の情報が用いられてもよい。
【００３８】
なお、図３に示される画像３０１に基づいて図４に示される画像４０１を生成する処理は、例えば、所定の装置（一例として、制御部１２）によって自動的に行われてもよく、または、人の作業によって行われてもよい。また、当該処理のうちの一部分が所定の装置によって自動的に行われ、他の部分が人の作業によって行われてもよい。
【００３９】
一例として、図３に示される画像３０１に基づいて図４に示される画像４０１を生成する処理は、電気泳動表示装置１の出荷前に行われて、これにより得られた輝度補正情報があらかじめ記憶部２０１に記憶された状態で電気泳動表示装置１が出荷される。
他の例として、図３に示される画像３０１に基づいて図４に示される画像４０１を生成する処理は、電気泳動表示装置１が出荷された後に、定期的なタイミングなどで行われてもよく、これにより得られた輝度補正情報が記憶部２０１に記憶（例えば、初期設定、または、更新）される。
通常は、光源３１１〜３１２の配置によって輝度のムラが定まることから、いったん設定された輝度補正情報を更新しなくても輝度補正の効果が得られると考えられるが、他の例として、経年劣化などが発生し得るため、いったん設定された輝度補正情報を更新してもよい。
【００４０】
図５は、輝度を補正した画像５０１の一例を示す図である。
本実施形態では、制御部１２は、表示対象の画像を表示する際に、記憶部２０１に記憶された輝度補正情報に基づいて、当該輝度補正情報に応じた画像と、当該表示対象の画像とを重ね合わせて（組み合わせて）、表示するように制御する。
ここで、当該輝度補正情報の画像は、当該表示対象の画像に発生する輝度のムラを補正する輝度の分布を有する。このため、当該輝度補正情報の画像と当該表示対象の画像とが重ね合わされることにより、当該表示対象の画像に発生する輝度のムラが抑制されて、輝度の均一性が図られる。
【００４１】
図５の例では、図３に示される画像３０１が表示対象の画像であり、図４に示される画像４０１が輝度補正情報に応じた画像である。そして、図５に示される輝度補正後の画像５０１は、図３に示される画像３０１と図４に示される画像４０１とが重ね合わされた画像である。
ここで、図５の例では、輝度補正後の画像５０１においても、多少の輝度のムラが残る可能性があるが、輝度補正が行われない場合と比べて、輝度のムラが抑制されている。このように、本実施形態では、輝度補正は、当該輝度補正が行われない場合と比べて輝度の均一性を向上させることが可能であればよい。なお、理想的には、輝度補正によって、輝度のムラが全く無くなり、輝度の均一性が完全になることが好ましい一例であると考えられる。
【００４２】
図６は、輝度を補正するための画像６０１の他の一例を示す図である。
図６に示される画像６０１は、図３に示される画像３０１に基づいて生成される。
具体的には、まず、図４に示される画像４０１を生成する場合と同様に、図３に示される画像３０１に基づいて、グレースケール化された画像を取得する。そして、グレースケール化された画像について、グレースケールのまま、輝度値を反転させる。輝度値を反転させる方法としては、例えば、輝度値が０からＮ（Ｎは２５５などの値）までの値をとる場合、反転対象の輝度値がＫ（Ｋは０以上Ｎ以下の値）であるとき、反転結果の輝度値は（Ｎ−Ｋ）となる。ここで、（Ｎ＋１）は階調数を表し、一例として、Ｎ＝２５５の場合には２５６階調である。グレースケール化された画像について輝度値を反転させた画像を、図６に示される画像６０１として取得する。
【００４３】
図６の例では、画像６０１の情報が、記憶部２０１に記憶される輝度補正情報となる。一例として、当該輝度補正情報として、当該画像６０１のビット情報が用いられてもよく、または、他の情報が用いられてもよい。
ここで、通常、図６に示されるグレースケールの画像６０１を用いて輝度補正を行う場合の方が、図４に示される２値の画像４０１を用いて輝度補正を行う場合と比べて、輝度補正後の画像に残る輝度のムラが抑制される。
なお、図６の例においても、制御部１２が輝度補正情報に基づいて輝度補正を行う方法は、図４および図５の例の場合と同様である。
【００４４】
ここでは、図５の例として、すべての画素領域２１に白色を表示する画像を表示対象の画像とするときに、制御部１２が輝度の補正を行う場合を示した。
他の例として、任意のコンテンツ（本実施形態では、白色と黒色の任意の混合）の画像を表示対象の画像とするときに、制御部１２が輝度の補正を行うことも可能である。
例えば、制御部１２は、表示対象であるコンテンツの画像と輝度補正情報に応じた画像とを重ね合わせて表示するように制御する。２つの画像の重ね合わせにおいて、例えば、各画素領域２１の輝度は、一方の画像における当該各画素領域２１の輝度と他方の画像における当該各画素領域２１の輝度との和となる。なお、当該和について上限値が定められていて、当該和が当該上限値を超えた場合には、当該和は当該上限値であるとみなす。
【００４５】
図７は、輝度を補正したコンテンツ画像７０１の一例を示す図である。
当該コンテンツ画像７０１は、文字のコンテンツを含む表示対象の画像（図示せず）と、図４に示される画像４０１（輝度補正情報に応じた画像）とを重ね合わせた画像である。当該コンテンツ画像７０１に対して、光源３１１〜３１２に起因する輝度のムラが重ねられた場合に、これらの結果として表示部１１により表示される画像において輝度のムラが低減される。
【００４６】
図８は、輝度を補正したコンテンツ画像８０１の一例を示す図である。
当該コンテンツ画像８０１は、模様のコンテンツを含む表示対象の画像（図示せず）と、図４に示される画像４０１（輝度補正情報に応じた画像）とを重ね合わせた画像である。
当該コンテンツ画像８０１に対して、光源３１１〜３１２に起因する輝度のムラが重ねられた場合に、これらの結果として表示部１１により表示される画像において輝度のムラが低減される。
【００４７】
図９は、輝度の特性３００１および補正用の逆の輝度の特性３００２の一例を示す図である。
図９に示されるグラフでは、横軸は発光領域における任意の方向に沿った位置を表し、縦軸は輝度を表す。当該グラフには、発光領域における輝度のムラを表す輝度の特性３００１と、当該輝度のムラを補正するための輝度補正情報の輝度の特性３００２と、輝度の補正によって得られる輝度補正後の目標とする輝度の特性３００３を示してある。理想的な場合として、図９の例では、輝度の特性３００１の輝度と補正用の逆の輝度の特性３００２の輝度との平均値が、目標とする輝度の特性３００３の輝度となる。図９の例では、輝度の特性３００１と、補正用の逆の輝度の特性３００２とは、相似形（相似な逆の特性）となる。
なお、補正用の逆の輝度の特性３００２としては、このような理想的な場合とは異なる特性が用いられてもよく、例えば、輝度の補正が行われない場合と比べて、発光領域の面内における輝度の均一性を向上させることができればよい。
【００４８】
ここで、本実施形態では、好ましい一例として、すべての画素領域２１に白色を表示する画像を用いて、輝度補正情報を取得する場合を示した。他の例として、すべての画素領域２１に黒色を表示する画像を用いて、輝度補正情報を取得してもよく、または、すべての画素領域２１に灰色（本実施形態では、白色と黒色との中間色）を表示する画像を用いて、輝度補正情報を取得してもよく、または、他の画像を用いて、輝度補正情報を取得してもよい。
【００４９】
制御部１２は、例えば、フロントライトである光源３１１〜３１２が点灯された状態において、輝度補正の処理を行う。例えば、制御部１２は、光源３１１〜３１２が消灯状態から点灯されたことに応じて、輝度補正の処理を実行しない状態（オフの状態）から当該処理を実行する状態（オンの状態）へ切り替える。また、制御部１２は、光源３１１〜３１２が点灯状態から消灯されたことに応じて、輝度補正の処理を実行する状態（オンの状態）から当該処理を実行しない状態（オフの状態）へ切り替える。
この場合、制御部１２は、例えば、光源３１１〜３１２が点灯されていない状態（非点灯の状態）において、輝度補正を行わない。この場合、例えば、光源３１１〜３１２が点灯されていない状態（非点灯の状態）において、外光が発光領域の輝度の性能に与える影響を小さく（例えば、ゼロに）することができる。
【００５０】
一例として、制御部１２は、光源３１１〜３１２が非点灯である状態において（輝度の補正を行わずに）表示対象の画像を表示した後に、当該画像を表示したまま光源３１１〜３１２が点灯された場合に、当該光源３１１〜３１２が点灯されたときに、輝度補正情報により輝度の補正が行われない画素領域２１については同じ表示内容（輝度）を継続して表示し、当該輝度補正情報により輝度の補正が行われる画素領域２１についてのみ表示内容（輝度）を補正後の内容に書き換えてもよい。
【００５１】
［第１実施形態のまとめ］
以上のように、本実施形態に係る電気泳動表示装置１では、表示部１１において、フロントライトの点灯時に、例えば、表示対象の画像と輝度補正情報に応じた画像とを重ね合わせた画像を表示することで、輝度の補正を行う。
例えば、本実施形態に係る電気泳動表示装置１では、表示部１１において、同一の表示対象の画像を表示する場合、フロントライトの点灯時と、フロントライトの非点灯時とで、表示面において異なる反射率（異なる輝度）の分布を有する画像を表示する。
【００５２】
以上のように、本実施形態に係る電気泳動表示装置１では、フロントライトの点灯時に輝度の補正を行うことで、発光領域（表示領域）の面内における輝度の均一化を図り、表示品位を良好にすることができる。
また、本実施形態に係る電気泳動表示装置１では、画像を用いて補正を行うことから、フロントライトの非点灯時において、表示部１１（例えば、反射型ディスプレイ）への光学的な影響が無く、効果的である。
【００５３】
ここで、本実施形態では、反射型表示装置の一例として、電気泳動表示装置１を示したが、他の構成例として、他の反射型表示装置が用いられてもよい。本実施形態の構成は、例えば、液晶ディスプレイ（ＬＣＤ：Ｌｉｑｕｉｄ  Ｃｒｙｓｔａｌ  Ｄｉｓｐｌａｙ）を用いた反射型表示装置などに適用されてもよい。
【００５４】
また、本実施形態では、輝度補正を行う制御部１２を備えた電気泳動表示装置１を示したが、他の構成例として、輝度補正を行う制御部１２を備えた制御装置（電気泳動表示装置１を制御する装置）が実施されてもよく、または、輝度補正を行って電気泳動表示装置１の表示部１１を駆動する駆動方法が実施されてもよい。
また、本実施形態では、白色と黒色を表示する構成を示したが、他の構成例として、白色と黒色以外の色を表示する構成に適用されてもよい。当該構成としては、例えば、Ｒ（赤）、Ｇ（緑）、Ｂ（青）のカラーを表示する構成が用いられてもよい。
【００５５】
（第２実施形態）
図１０〜図１２を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００５６】
図１０は、本発明の一実施形態（第２実施形態の第１の例）に係る電子機器の概略的な構成例を示す図である。
具体的には、図１０は、電子機器の一例である電子ブック１５０１を示す斜視図である。
電子ブック１５０１は、ブック形状のフレーム１５１１と、以上の実施形態に係る電気泳動表示装置１が適用された表示部１５１２と、操作部１５１３を備える。
【００５７】
図１１は、本発明の一実施形態（第２実施形態の第２の例）に係る電子機器の概略的な構成例を示す図である。
具体的には、図１１は、電子機器の一例である腕時計１５５１を示す斜視図である。
腕時計１５５１は、以上の実施形態に係る電気泳動表示装置１が適用された表示部１５６１を備える。
【００５８】
図１２は、本発明の一実施形態（第２実施形態の第３の例）に係る電子機器の概略的な構成例を示す図である。
具体的には、図１２は、電子機器の一例である電子ペーパー１５７１を示す斜視図である。
電子ペーパー１５７１は、紙と同様の質感および柔軟性を有するリライタブルシートで構成される本体部１５８１と、以上の実施形態に係る電気泳動表示装置１が適用された表示部１５８２を備える。
【００５９】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００６０】
以上のように、本実施形態に係る電子機器では、以上の実施形態に係る電気泳動表示装置１と同様な効果を得ることができる。
【００６１】
（以上の実施形態のまとめ）
一構成例として、光を発する発光部（図２の例では、光源１８３）を有し、発光部から発せられた光の反射により画像を表示する表示部（図２の例では、表示部１１）と、発光部から光が発せられた状態で表示対象の画像を表示部により表示する場合に、発光部から発せられる光により発生する輝度の分布に関する情報である輝度補正情報（例えば、図４あるいは図６の例）に基づいて、表示対象の画像と輝度補正情報に応じた画像とを重ね合わせて表示することで、表示対象の画像について輝度を補正する制御部（図１の例では、制御部１２）と、を備える反射型表示装置（図１の例では、電気泳動表示装置１）である。
一構成例として、反射型表示装置において、発光部から発せられる光により発生する輝度の分布と、輝度補正情報に応じた画像における輝度の分布とが、相似する（例えば、図９の例）。
一構成例として、制御部は、輝度補正情報を記憶する記憶部（図１の例では、記憶部２０１）を備え、制御部は、記憶部に記憶された輝度補正情報に基づいて、表示対象の画像について輝度を補正する。
一構成例として、輝度補正情報は、画像のビット情報である。
一構成例として、発光部は、フロントライトである。
一構成例として、反射型表示装置は、電気泳動表示装置であり、電気泳動表示装置は、互いに対向させられた第１の基板（図２の例では、画素基板１０１）および第２の基板（図２の例では、対向基板１０２）と、第１の基板に設けられた第１の電極（図２の例では、画素電極１３１〜１３３）と、第２の基板に設けられた第２の電極（図２の例では、対向電極１４１）と、第１の電極と第２の電極との間に設けられた粒子（図２の例では、白色粒子１６２および黒色粒子１６３）および分散媒（図２の例では、分散媒１６１）を含む分散液（図２の例では、分散液１５１）と、を備えた。
【００６２】
一構成例として、上記のような反射型表示装置を備える電子機器（例えば、図１０〜図１２に示される電子機器）である。
一構成例として、光を発する発光部を有し、発光部から発せられた光の反射により画像を表示する表示部を備えた反射型表示装置を駆動する駆動方法であって、制御部が、発光部から光が発せられた状態で表示対象の画像を表示部により表示する場合に、発光部から発せられる光により発生する輝度の分布に関する情報である輝度補正情報に基づいて、表示対象の画像と輝度補正情報に応じた画像とを重ね合わせて表示することで、表示対象の画像について輝度を補正する、駆動方法（例えば、制御部１２により反射型表示装置の表示部を駆動する方法）である。
一構成例として、光を発する発光部を有し、発光部から発せられた光の反射により画像を表示する表示部を備えた反射型表示装置を制御する制御装置であって、発光部から光が発せられた状態で表示対象の画像を表示部により表示する場合に、発光部から発せられる光により発生する輝度の分布に関する情報である輝度補正情報に基づいて、表示対象の画像と輝度補正情報に応じた画像とを重ね合わせて表示することで、表示対象の画像について輝度を補正する制御部を備えた、制御装置（例えば、制御部１２の機能を備えた制御装置）である。
【００６３】
以上、この発明の実施形態について図面を参照して詳述してきたが、具体的な構成はこの実施形態に限られるものではなく、この発明の要旨を逸脱しない範囲の設計等も含まれる。
【００６４】
なお、以上に説明した装置（例えば、制御部１２、または、制御部１２の機能を有する制御装置）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００６５】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００６６】
１…電気泳動表示装置、１１、１５１２、１５６１、１５８２…表示部、１２…制御部、２１…画素領域、１０１…画素基板、１０２…対向基板、１１１〜１１３…隔壁、１２１…接合層、１３１〜１３３…画素電極、１４１…対向電極、１５１…分散液、１６１…分散媒、１６２…白色粒子、１６３…黒色粒子、１７１…封止部、１８１…透明接着層、１８２…導光体、１８３、３１１〜３１２…光源、２０１…記憶部、３０１、４０１、５０１、６０１…画像、３２１…高輝度部、３２２…低輝度部、７０１、８０１…コンテンツ画像、１５０１…電子ブック、１５１１…フレーム、１５１３…操作部、１５５１…腕時計、１５７１…電子ペーパー、１５８１…本体部
【図１】
2017161855.tif 000003
【図２】
2017161855.tif 000004
【図３】
2017161855.tif 000005
【図４】
2017161855.tif 000006
【図５】
2017161855.tif 000007
【図６】
2017161855.tif 000008
【図７】
2017161855.tif 000009
【図８】
2017161855.tif 000010
【図９】
2017161855.tif 000011
【図１０】
2017161855.tif 000012
【図１１】
2017161855.tif 000013
【図１２】
2017161855.tif 000014